(57)【要約】  本開示は、ネットワーク管理情報の受送信方法、装置、送信装置、受信装置、および記憶媒体を開示する。前記ネットワーク管理情報の送信方法は、送信装置の構成モードに基づいて前記構成モードに対応する伝送通路を選択することと、ネットワーク管理情報をデータストリームに担持させ、前記伝送通路を介して前記データストリームを受信装置に送信することとを含む。前記ネットワーク管理情報の受信方法は、送信装置から送信されたデータストリームに基づいて前記送信装置の構成モードを識別することと、前記送信装置の構成モードに基づいて前記送信装置から送信されたネットワーク管理情報を受信こととを含み、前記ネットワーク管理情報が前記データストリームに担持される。【選択図】図６
2019534609.tif 000002
【特許請求の範囲】
【請求項１】
送信装置の構成モードに基づいて前記構成モードに対応する伝送通路を選択することと、
ネットワーク管理情報をデータストリームに担持させ、前記伝送通路を介して前記データストリームを受信装置に送信することと、を含む、
ネットワーク管理情報の送信方法。
【請求項２】
前記送信装置の構成モードは、イーサネットモードおよびフレックスイーサネットＦｌｅｘＥモードを含み、
前記イーサネットモードに対応する伝送通路はイーサネット通路であり、前記ＦｌｅｘＥモードに対応する伝送通路はＦｌｅｘＥ通路である、
請求項１に記載の方法。
【請求項３】
前記ネットワーク管理情報をデータストリームに担持させ、前記伝送通路を介して前記データストリームを受信装置に送信することは、
前記構成モードに対応する伝送通路がイーサネット通路であれば、前記ネットワーク管理情報をイーサネットデータストリームに挿入し、前記イーサネット通路を介して前記イーサネットデータストリームを前記受信装置に送信することと、
前記構成モードに対応する伝送通路がＦｌｅｘＥ通路であれば、前記ネットワーク管理情報をＦｌｅｘＥデータストリームのＦｌｅｘＥフレームにパッケージし、前記ＦｌｅｘＥ通路を介して前記ＦｌｅｘＥデータストリームを前記受信装置に送信することと、を含む、
請求項１に記載の方法。
【請求項４】
前記ＦｌｅｘＥフレームはオーバーヘッドフレームである、請求項３に記載の方法。
【請求項５】
送信装置から送信されたデータストリームに基づいて前記送信装置の構成モードを識別することと、
前記送信装置の構成モードに基づいて前記送信装置から送信されたネットワーク管理情報を受信することと、を含み、
前記ネットワーク管理情報が前記データストリームに担持される、
ネットワーク管理情報の受信方法。
【請求項６】
前記送信装置の構成モードに基づいて前記送信装置から送信されたネットワーク管理情報を受信することは、
前記送信装置の構成モードに基づいて前記構成モードに対応する伝送通路を選択することと、
前記構成モードに対応する伝送通路で前記送信装置から送信されたネットワーク管理情報を受信することと、を含む、
請求項５に記載の方法。
【請求項７】
前記送信装置の構成モードは、イーサネットモードおよびフレックスイーサネットＦｌｅｘＥモードを含み、
前記イーサネットモードに対応する伝送通路はイーサネット通路であり、前記ＦｌｅｘＥモードに対応する伝送通路はＦｌｅｘＥ通路である、
請求項６に記載の方法。
【請求項８】
前記送信装置から送信されたデータストリームに基づいて前記送信装置の構成モードを識別することは、
前記データストリームにＦｌｅｘＥフレームが存在するか否かを検出することと、
前記データストリームに前記ＦｌｅｘＥフレームが存在する場合、前記データストリームをフレーム特定することと、
フレーム特定が成功すれば、前記送信装置の構成モードはＦｌｅｘＥモードであり、フレーム特定が成功しなければ、前記送信装置の構成モードはイーサネットモードであることと、を含む、
請求項７に記載の方法。
【請求項９】
前記前記構成モードに対応する伝送通路で前記送信装置から送信されたネットワーク管理情報を受信する前に、
前記送信装置から送信されたデータストリームにおいて前記ネットワーク管理情報を探索し、前記ネットワーク管理情報が探索された場合、選択された前記構成モードに対応する伝送通路で、前記送信装置から送信されたネットワーク管理情報を受信しやすくするように、前記ネットワーク管理情報を選択された前記構成モードに対応する伝送通路に入力することと、
前記送信装置から送信されたデータストリームにおいてＦｌｅｘＥフレームを検索し、前記ＦｌｅｘＥフレームが検索された場合、選択された前記構成モードに対応する伝送通路で前記送信装置から送信されたネットワーク管理情報を受信しやすくするように、前記ＦｌｅｘＥフレームから前記ネットワーク管理情報を抽出し、抽出された前記ネットワーク管理情報を選択された前記構成モードに対応する伝送通路に入力することと、を更に含む、
請求項７に記載の方法。
【請求項１０】
前記ＦｌｅｘＥフレームはオーバーヘッドフレームである、
請求項７から９のいずれか１項に記載の方法。
【請求項１１】
送信装置の構成モードに基づいて前記構成モードに対応する伝送通路を選択するように構成される選択モジュールと、
ネットワーク管理情報をデータストリームに担持させ、前記伝送通路を介して前記データストリームを受信装置に送信するように構成される送信モジュールと、を備える、
ネットワーク管理情報の送信装置。
【請求項１２】
前記送信装置の構成モードは、イーサネットモードおよびフレックスイーサネットＦｌｅｘＥモードを含み、
前記イーサネットモードに対応する伝送通路はイーサネット通路であり、前記ＦｌｅｘＥモードに対応する伝送通路はＦｌｅｘＥ通路である、
請求項１１に記載の装置。
【請求項１３】
前記送信モジュールは、
前記構成モードに対応する伝送通路がイーサネット通路であれば、前記ネットワーク管理情報をイーサネットデータストリームに挿入し、前記イーサネット通路を介して前記受信装置に前記イーサネットデータストリームを送信し、
前記構成モードに対応する伝送通路がＦｌｅｘＥ通路であれば、前記ネットワーク管理情報をＦｌｅｘＥデータストリームのＦｌｅｘＥフレームにパッケージし、前記ＦｌｅｘＥ通路を介して前記受信装置に前記ＦｌｅｘＥデータストリームを送信する、ように構成される、
請求項１１に記載の装置。
【請求項１４】
前記ＦｌｅｘＥフレームはオーバーヘッドフレームである、
請求項１３に記載の装置。
【請求項１５】
送信装置から送信されたデータストリームに基づいて前記送信装置の構成モードを識別するように構成される識別モジュールと、
前記送信装置の構成モードに基づいて前記送信装置から送信されたネットワーク管理情報を受信するように構成される受信モジュールと、を備え、
前記ネットワーク管理情報が前記データストリームに担持される、
ネットワーク管理情報の受信装置。
【請求項１６】
前記受信モジュールは、
前記送信装置の構成モードに基づいて前記構成モードに対応する伝送通路を選択するように構成される選択ユニットと、
前記構成モードに対応する伝送通路で前記送信装置から送信されたネットワーク管理情報を受信するように構成される受信ユニットと、を備える、
請求項１５に記載の装置。
【請求項１７】
前記送信装置の構成モードは、イーサネットモードおよびフレックスイーサネットＦｌｅｘＥモードを含み、
前記イーサネットモードに対応する伝送通路はイーサネット通路であり、前記ＦｌｅｘＥモードに対応する伝送通路はＦｌｅｘＥ通路である、
請求項１６に記載の装置。
【請求項１８】
前記識別モジュールは、
前記データストリームにＦｌｅｘＥフレームが存在するか否かを検出し、
前記データストリームに前記ＦｌｅｘＥフレームが存在する場合、前記データストリームをフレーム特定し、
フレーム特定が成功すれば、前記送信装置の構成モードはＦｌｅｘＥモードであり、フレーム特定が成功しなければ、前記送信装置の構成モードはイーサネットモードである、ように構成される、
請求項１７に記載の装置。
【請求項１９】
前記構成モードに対応する伝送通路で前記送信装置から送信されたネットワーク管理情報を受信する前に、前記送信装置から送信されたデータストリームにおいて前記ネットワーク管理情報を探索し、前記ネットワーク管理情報が探索された場合、選択された前記構成モードに対応する伝送通路で前記送信装置から送信されたネットワーク管理情報を受信しやすくするように、前記ネットワーク管理情報を選択された前記構成モードに対応する伝送通路に入力するように構成される探索モジュールと、
前記構成モードに対応する伝送通路で前記送信装置から送信されたネットワーク管理情報を受信する前に、前記送信装置から送信されたデータストリームにおいてＦｌｅｘＥフレームを検索し、前記ＦｌｅｘＥフレームが検索された場合、選択された前記構成モードに対応する伝送通路で前記送信装置から送信されたネットワーク管理情報を受信しやすくするように、前記ＦｌｅｘＥフレームから前記ネットワーク管理情報を抽出し、抽出された前記ネットワーク管理情報を選択された前記構成モードに対応する伝送通路に入力するように構成される抽出モジュールと、を更に備える、
請求項１７に記載の装置。
【請求項２０】
前記ＦｌｅｘＥフレームはオーバーヘッドフレームである、請求項１７から１９のいずれか１項に記載の装置。
【請求項２１】
データ処理を行うプロセッサ、命令およびデータを記憶するためのメモリ、およびデータの受送信に用いられるデータ受送信器のうちの少なくとも１種を備え、
前記プロセッサが前記メモリに記憶された命令およびデータを実行する際に、
送信装置の構成モードに基づいて前記構成モードに対応する伝送通路を選択する動作と、
ネットワーク管理情報をデータストリームに担持させ、前記伝送通路を介して前記データストリームを受信装置に送信する動作と、を実行する、
送信装置。
【請求項２２】
構成モードはイーサネットモードおよびフレックスイーサネットＦｌｅｘＥモードを含み、
前記イーサネットモードに対応する伝送通路はイーサネット通路であり、前記ＦｌｅｘＥモードに対応する伝送通路はＦｌｅｘＥ通路である、
請求項２１に記載の送信装置。
【請求項２３】
前記ネットワーク管理情報をデータストリームに担持させ、前記伝送通路を介して前記データストリームを受信装置に送信することは、
前記構成モードに対応する伝送通路がイーサネット通路であれば、前記ネットワーク管理情報をイーサネットデータストリームに挿入し、前記イーサネット通路を介して前記イーサネットデータストリームを前記受信装置に送信することと、
前記構成モードに対応する伝送通路がＦｌｅｘＥ通路であれば、前記ネットワーク管理情報をＦｌｅｘＥデータストリームのＦｌｅｘＥフレームにパッケージし、前記ＦｌｅｘＥ通路を介して前記ＦｌｅｘＥデータストリームを前記受信装置に送信することと、を含む、
請求項２１に記載の送信装置。
【請求項２４】
前記ＦｌｅｘＥフレームはオーバーヘッドフレームである、
請求項２３に記載の送信装置。
【請求項２５】
データ処理を行うプロセッサ、コンピュータプログラムを記憶するためのメモリ、およびデータの受送信に用いられるデータ受送信器を備え、
前記プロセッサが前記メモリに記憶されたコンピュータプログラムを実行する際に、
送信装置から送信されたデータストリームに基づいて前記送信装置の構成モードを識別する動作と、
前記送信装置の構成モードに基づいて前記送信装置から送信されたネットワーク管理情報を受信する動作と、を実行し、
前記ネットワーク管理情報が前記データストリームに担持される、
受信装置。
【請求項２６】
前記送信装置の構成モードに基づいて前記送信装置から送信されたネットワーク管理情報を受信することは、
前記送信装置の構成モードに基づいて前記構成モードに対応する伝送通路を選択することと、
前記構成モードに対応する伝送通路で前記送信装置から送信されたネットワーク管理情報を受信することと、を含む、
請求項２５に記載の受信装置。
【請求項２７】
前記送信装置の構成モードは、イーサネットモードおよびフレックスイーサネットＦｌｅｘＥモードを含み、
前記イーサネットモードに対応する伝送通路はイーサネット通路であり、前記ＦｌｅｘＥモードに対応する伝送通路はＦｌｅｘＥ通路である、
請求項２６に記載の受信装置。
【請求項２８】
前記送信装置から送信されたデータストリームに基づいて前記送信装置の構成モードを識別することは、
前記データストリームにＦｌｅｘＥフレームが存在するか否かを検出することと、
前記データストリームに前記ＦｌｅｘＥフレームが存在する場合、前記データストリームをフレーム特定することと、
フレーム特定が成功すれば、前記送信装置の構成モードはＦｌｅｘＥモードであり、フレーム特定が成功しなければ、前記送信装置の構成モードはイーサネットモードであることと、を含む、
請求項２７に記載の受信装置。
【請求項２９】
前記前記構成モードに対応する伝送通路で前記送信装置から送信されたネットワーク管理情報を受信する前に、
前記送信装置から送信されたデータストリームにおいて前記ネットワーク管理情報を探索し、前記ネットワーク管理情報が探索された場合、選択された前記構成モードに対応する伝送通路で前記送信装置から送信されたネットワーク管理情報を受信しやすくするように、前記ネットワーク管理情報を選択された前記構成モードに対応する伝送通路に入力することと、
前記送信装置から送信されたデータストリームにおいてＦｌｅｘＥフレームを検索し、前記ＦｌｅｘＥフレームが検索された場合、選択された前記構成モードに対応する伝送通路で前記送信装置から送信されたネットワーク管理情報を受信しやすくするように、前記ＦｌｅｘＥフレームから前記ネットワーク管理情報を抽出し、抽出された前記ネットワーク管理情報を選択された前記構成モードに対応する伝送通路に入力することと、を更に含む、
請求項２７に記載の受信装置。
【請求項３０】
前記ＦｌｅｘＥフレームはオーバーヘッドフレームである、
請求項２７から２９のいずれか１項に記載の受信装置。
【請求項３１】
請求項１から１０のいずれか１項に記載の方法を実行するように構成されるコンピュータプログラムが記憶される、
コンピュータ読取可能な記憶媒体。
【発明の詳細な説明】
【技術分野】
【０００１】
本開示は、通信技術分野に関し、例えば、ネットワーク管理情報の受送信方法、装置、送信装置および受信装置に関する。
【背景技術】
【０００２】
ユーザーのネット上の情報の流量の急速な増加は、通信ネットワークの情報伝送の帯域幅の急速な発展を促し、ネットワーク要素のインタフェース帯域幅速度は１０Ｍ（単位：ビット／秒）から１００Ｍに向上して、そして１Ｇ、１０Ｇ、１００Ｇに向上し、市場では１００Ｇの光モジュールが大量に使用されている。現在、４００Ｇの光モジュールが開発されたが、４００Ｇの光モジュールは高価で、４つの１００Ｇの光モジュールの価格を超えているため、４００Ｇの光モジュールの商用の経済的価値が欠ける。
【０００３】
１００Ｇの光モジュールで４００Ｇのトラフィックを伝送するために、国際規格化機構はＦｌｅｘＥ（ＦＬＥＸ−Ｅｔｈｅｒｎｅｔ、フレックスイーサネット）プロトコルを定義し、ＦｌｅｘＥプロトコルは複数の１００Ｇの光モジュールをバンドリングし、１つの高速の伝送通路を形成する。図１は、従来の関連技術におけるＦｌｅｘＥプロトコルの理論的なネットワーク構成の模式図である。図１に示すように、ＦｌｅｘＥプロトコルにより、４つの１００Ｇの光モジュールをバンドリングし、１つの４００Ｇの伝送通路を形成し、更に１つの４００Ｇの光モジュールの伝送速度に相当し、コストを増加せずに４００Ｇのトラフィックの伝送需要を実現する。
【０００４】
ＦｌｅｘＥプロトコルは、ネットワーク要素の両側がＦｌｅｘＥプロトコルを同時にサポートする上で、ＦｌｅｘＥプロトコルの基に相互通信して遠隔ネットワーク管理を実現することができると要求する。ネットワーク要素がネットワークを構成する際に、各光ファイバインタフェースはデフォルトで固定のモードにあり、一般的にはイーサネットモード（ＦｌｅｘＥモードではない）である。ネットワーク要素の電源が投入され始めると、両側のネットワーク要素の全ての光ファイバインタフェースはイーサネットモードにあり、この時、ネットワーク要素はネットワークを構成して相互通信することができ、ネットワーク管理通路は正常であり、遠隔でネットワーク全体を管理することができる。ネットワーク内の管理装置は各ネットワーク要素にＦｌｅｘＥモードを有効にする命令を発し、ネットワーク内の各ネットワーク要素はＦｌｅｘＥモードを有効にし始め、信号伝送に時間差が存在するため、時間的には、一部のネットワーク要素は先にＦｌｅｘＥモードを有効にし、一部のネットワーク要素は後にＦｌｅｘＥモードを有効にし、更に、一部のネットワーク要素はＦｌｅｘＥモードを有効にする命令を受信できないまたは一部のみを受信する可能性があり、これにより、ＦｌｅｘＥモードを有効にするネットワーク要素とイーサネットモードにあるネットワーク要素とを接続する際に問題が発生する。図２は、関連技術におけるＦｌｅｘＥプロトコルの実際のネットワーク構成における問題のあるネットワーク構成の模式図である。図２に示すように、左側のネットワーク要素はＦｌｅｘＥモードで、右側のネットワーク要素はイーサネットモードであり、２つのネットワーク要素がサポートするプロトコルが異なり、管理通路の位置が異なり、ネットワーク要素の間は相互通信できず、管理通路が中断し、全てのネットワーク要素はリンクできなくなる。更に、１台のネットワーク要素のイーサネットモードからＦｌｅｘＥモードへの切り替えが成功しなければ、ネットワーク全体は中断し、停止し、管理できなくなる。
【発明の概要】
【課題を解決するための手段】
【０００５】
以下は、本開示を詳細に説明する主題の概要である。本概要は、特許請求の範囲を制限するためのものではない。
【０００６】
本開示は、送信装置の構成モードに基づいて前記構成モードに対応する伝送通路を選択することと、ネットワーク管理情報をデータストリームに担持させ、前記伝送通路を介して前記データストリームを受信装置に送信することと、を含むネットワーク管理情報の送信方法を提供する。
【０００７】
本開示は、送信装置から送信されたデータストリームに基づいて前記送信装置の構成モードを識別することと、前記送信装置の構成モードに基づいて前記送信装置から送信されたネットワーク管理情報を受信することと、を含むネットワーク管理情報の受信方法を提供する。ここで、ネットワーク管理情報が前記データストリームに担持される。
【０００８】
本開示は、送信装置の構成モードに基づいて前記構成モードに対応する伝送通路を選択するように構成される選択モジュールと、ネットワーク管理情報をデータストリームに担持させ、前記伝送通路を介して前記データストリームを受信装置に送信するように構成される送信モジュールと、を備えるネットワーク管理情報の送信装置を提供する。
【０００９】
本開示は、送信装置から送信されたデータストリームに基づいて前記送信装置の構成モードを識別するように構成される識別モジュールと、前記送信装置の構成モードに基づいて前記送信装置から送信されたネットワーク管理情報を受信するように構成される受信モジュールと、を備えるネットワーク管理情報の受信装置を提供する。ここで、ネットワーク管理情報が前記データストリームに担持される。
【００１０】
本開示は、データ処理を行うプロセッサ、命令およびデータを記憶するためのメモリ、およびデータの受送信に用いられるデータ受送信器のうちの少なくとも１種を備え、前記プロセッサが前記メモリに記憶された命令およびデータを実行する際に、送信装置の構成モードに基づいて前記構成モードに対応する伝送通路を選択する動作と、ネットワーク管理情報をデータストリームに担持させ、前記伝送通路を介して前記データストリームを受信装置に送信する動作と、を実行する送信装置を提供する。
【００１１】
本開示は、データ処理を行うプロセッサ、コンピュータプログラムを記憶するためのメモリ、およびデータの受送信に用いられるデータ受送信器のうちの少なくとも１種を備え、前記プロセッサが前記メモリに記憶されたコンピュータプログラムを実行する際に、送信装置から送信されたデータストリームに基づいて前記送信装置の構成モードを識別する動作と、前記送信装置の構成モードに基づいて前記送信装置から送信されたネットワーク管理情報を受信する動作と、を実行する受信装置を更に提供する。ここで、前記ネットワーク管理情報が前記データストリームに担持される。
【００１２】
本開示は、上記のネットワーク管理情報の送信方法および受信方法を実行するように構成されるコンピュータプログラムが記憶されるコンピュータ読取可能な記憶媒体を提供する。
【発明の効果】
【００１３】
本開示の実施例は、送信端で現在の構成モードに対応する伝送通路を選択してネットワーク管理情報を送信し、受信端でデータストリームを受信し、送信端の構成モードを識別し、且つ、該構成モードに対応する伝送通路でネットワーク管理情報を取得する。本開示の実施例において、送信端のネットワーク要素と受信端ネットワーク要素の構成モードが異なっても、相互通信を実現し、送信端のネットワーク要素から送信されたネットワーク管理情報を正確に取得することができる。
【図面の簡単な説明】
【００１４】
【図１】関連技術におけるＦｌｅｘＥプロトコルの理論的なネットワーク構成の模式図である。
【図２】関連技術におけるＦｌｅｘＥプロトコルの実際のネットワーク構成における問題のあるネットワーク構成の模式図である。
【図３】本開示の一実施例におけるネットワーク管理情報の送信方法のフローチャートである。
【図４】本開示の一実施例におけるデータストリームにオーバーヘッドブロックを挿入する模式図である。
【図５】本開示の一実施例におけるオーバーヘッドフレームの構造模式図である。
【図６】本開示の一実施例におけるネットワーク管理情報の受信方法のフローチャートである。
【図７】本開示の一実施例におけるネットワーク管理情報の送信装置の構成図である。
【図８】本開示の一実施例におけるネットワーク管理情報の受信装置の構成図である。
【図９Ａ】本開示の一実施例におけるネットワーク管理情報の受送信の模式図である。
【図９Ｂ】本開示の一実施例におけるネットワーク要素の送信端のネットワーク管理情報の送信経路の模式図である。
【図９Ｃ】本開示の一実施例におけるネットワーク要素の受信端のネットワーク管理情報の受信経路の模式図である。
【図１０Ａ】本開示の一実施例におけるネットワーク管理情報の受送信の模式図である。
【図１０Ｂ】本開示の一実施例におけるネットワーク要素の受信端のネットワーク管理情報の受信経路の模式図である。
【図１１Ａ】本開示の一実施例におけるネットワーク管理情報の受送信の模式図である。
【図１１Ｂ】本開示の一実施例におけるネットワーク要素の送信端のネットワーク管理情報の送信経路の模式図である。
【図１２】本開示の一実施例における送信装置のハードウェアの構造模式図である。
【図１３】本開示の一実施例における受信装置のハードウェアの構造模式図である。
【発明を実施するための形態】
【００１５】
本開示の実施例において、送信端が現在の構成モードに対応する伝送通路を選択してネットワーク管理情報を送信し、受信端でデータストリームを受信し、送信端の構成モードを識別し、且つ、該構成モードに対応する伝送通路でネットワーク管理情報を取得する。本開示の実施例において、送信端のネットワーク要素と受信端のネットワーク要素の構成モードが異なっても、相互通信を実現し、送信端のネットワーク要素から送信されたネットワーク管理情報を正確に取得することができる。
【００１６】
以下、図面および実施例を参照しながら、本開示を更に詳細に説明する。ここで説明する具体的な実施例は、本開示を解釈するためのものに過ぎず、本開示を限定するものではないことが理解すべきである。
【００１７】
本開示の一実施例は、ネットワーク管理情報の送信方法を提供する。本実施例の実行主体は送信装置であり、該送信装置は光モジュールであってもよい。
【００１８】
図３は、本開示の一実施例によるネットワーク管理情報の送信方法のフローチャートであり、ステップＳ３１０およびステップＳ３２０を含む。
【００１９】
Ｓ３１０において、送信装置の構成モードに基づいて前記構成モードに対応する伝送通路を選択する。
【００２０】
送信装置の構成モードを識別し、送信装置の構成モードに基づいて前記構成モードに対応する伝送通路を選択してもよい。
【００２１】
送信装置の構成モードは、イーサネットモードおよびＦｌｅｘＥモードを含む。
【００２２】
本開示の一実施例において、送信装置の設定情報を照会して送信装置の現在の構成モードがイーサネットモードであるか、またはＦｌｅｘＥモードであるかを識別してもよい。
【００２３】
伝送通路のタイプは、イーサネット通路およびＦｌｅｘＥ通路を含む。
【００２４】
前記イーサネットモードに対応する伝送通路はイーサネット通路であり、前記ＦｌｅｘＥモードに対応する伝送通路はＦｌｅｘＥ通路である。
【００２５】
Ｓ３２０において、ネットワーク管理情報をデータストリームに担持させ、前記伝送通路を介して前記データストリームを受信装置に送信する。
【００２６】
本開示の一実施例において、ネットワーク管理情報がネットワーク管理を実現するために用いられ、ネットワーク管理情報は、例えば、照会情報、報告情報、制御情報等であってもよい。送信装置の構成モードに基づいて対応するフォーマットのデータストリームを送信する。送信装置は、イーサネットモードでイーサネットデータストリームを送信し、ＦｌｅｘＥモードでＦｌｅｘＥデータストリームを送信する。
【００２７】
送信装置の構成モードに対応する伝送通路がイーサネット通路であれば、前記ネットワーク管理情報をイーサネットデータストリームに挿入し、前記イーサネット通路を介して前記イーサネットデータストリームを前記受信装置に送信し、これによってネットワーク管理情報をイーサネットデータストリームとともに伝送する。
【００２８】
送信装置の構成モードに対応する伝送通路がＦｌｅｘＥ通路であれば、前記ネットワーク管理情報をＦｌｅｘＥデータストリームのＦｌｅｘＥフレームにパッケージし、前記ＦｌｅｘＥ通路を介して前記ＦｌｅｘＥデータストリームを前記受信装置に送信する。本開示の一実施例において、トラフィックデータを搬送するデータブロックとネットワーク管理情報とを組み合わせ、ネットワーク管理情報をオーバーヘッドブロックに担持させ、ＦｌｅｘＥフォーマットのデータストリームを生成してもよい。前記ＦｌｅｘＥフレームはオーバーヘッドフレームであり、オーバーヘッドフレームは８つの連続するオーバーヘッドブロックを含み、ネットワーク管理情報を１つまたは複数のオーバーヘッドブロックにパッケージしてもよい。
【００２９】
本開示の一実施例において、ＦｌｅｘＥモードにおいて、光モジュールは、データを送信する前に、データを６４／６６符号化し、６４ビットのデータを６６ビットに拡張させ、増加された２つのビットは、６６ビットのうちの最初の２つのビットであり、６６ビットの開始フラグとなる。その後、６６ビットのデータブロックを光モジュールの光ファイバインタフェースから送信する。受信時に、光モジュールの光ファイバインタフェースは、受信したデータストリームから６６ビットのデータブロックを判別し、その後、６６ビットのデータブロックから元の６４ビットのデータを復元し、データメッセージを再組み立てる。
【００３０】
ＦｌｅｘＥプロトコルは６４ビットから６６ビットの変換レイヤにあり、光モジュールは、２０×１０２３個の６６ビットのデータブロックごとに１つのオーバーヘッドブロックを挿入する。６６ビットのデータブロックを送信する前に、６６ビットのデータブロックを配列してレイアウトし、２０個ごとの６６ビットのデータブロックを１つのデータブロックグループに区画することができる。２０個のデータブロックは２０個のスロットを表し、各スロットは５Ｇ帯域幅のトラフィック速度を表す。図４は、本開示の一実施例におけるデータストリームにオーバーヘッドブロックを挿入する模式図である。図４に示すように、ＦｌｅｘＥデータストリームを送信する際に、１０２３個のデータブロックグループ（１０２３×２０個のデータブロック）が送信されるたびに、１つのオーバーヘッドブロックを挿入し、白いブロックはデータブロックであり、黒いブロックはオーバーヘッドブロックである。オーバーヘッドブロックが挿入された後に、データブロックを送信し続け、２番目の１０２３×２０個のデータブロックが送信された後に、更に１つのオーバーヘッドブロックを挿入し、以降は同様にする。このように、データブロックを送信するプロセスにおいて、オーバーヘッドブロックを周期的に挿入し、隣接する２つのオーバーヘッドブロックの間隔は１０２３×２０個のデータブロックである。
【００３１】
オーバーヘッドブロックは、長さが６６ビットのデータであり、データストリームの送信プロセスにおいて、１０２３×２０個のデータブロックごとに１つのオーバーヘッドブロックを挿入する。オーバーヘッドブロックはデータストリーム全体で位置決め機能を果たすことができ、オーバーヘッドブロックを見つけると、データストリーム内の１番目のデータブロックグループの位置および後続のデータブロックグループの位置を決定することができる。
【００３２】
図５は、本開示の一実施例におけるオーバーヘッドフレームの構造模式図である。連続する８つのオーバーヘッドブロックが１つのオーバーヘッドフレームを構成し、オーバーヘッドフレームの内容は図５に示すとおりである。１つのオーバーヘッドブロックは、２ビットのブロックフラグおよび６４ビットのブロック内容から構成される。ブロックフラグは最初の２列に位置し、後の６４列はブロック内容であり、１番目のオーバーヘッドブロックのブロックフラグは１０であり、後の７つのオーバーヘッドブロックのブロックフラグは０１またはＳＳ（ＳＳは内容が不定であることを表す）である。
【００３３】
１番目のオーバーヘッドブロックの内容は、０ｘ４Ｂ（１６進数の４Ｂ）、１番目のオーバーヘッドブロックのＣビット（調整制御を指示する）、ＯＭＦビット（オーバーヘッドフレームのマルチフレーム指示を表す）、ＲＰＦビット（遠隔欠陥指示を表す）、ＲＥＳビット（予約ビット）、ＦｌｅｘＥ  ｇｒｏｕｐ  ｎｕｍｂｅｒ（バンドリンググループの番号を表す）、０ｘ５（１６進数の５）、００００００（１６進数の０）である。０ｘ４Ｂおよび０ｘ５は１番目のオーバーヘッドブロックのフラグである。受信時に、１つのオーバーヘッドブロック内の対応位置が０ｘ４Ｂおよび０ｘ５であると検出すると、該オーバーヘッドブロックはオーバーヘッドフレーム内の１番目のオーバーヘッドブロックであり、該オーバーヘッドブロックおよび後の連続する７つのオーバーヘッドブロックは１つのオーバーヘッドフレームを構成することを表す。
【００３４】
２番目のオーバーヘッドブロックの内容は、２番目のオーバーヘッドブロックのＣビット（調整制御を指示する）、ＰＨＹ  ＭＡＰ（ＰＨＹ（Ｐｈｙｓｉｃａｌ  Ｌａｙｅｒ、物理レイヤ）の使用状態を表す）、ＰＨＹ  ｎｕｍｂｅｒ（ｓｌｏｔ（スロット）が位置するＰＨＹを指示する）であり、ｒｅｓｅｒｖｅｄ部分は予約内容であり、定義されていない。
【００３５】
３番目のオーバーヘッドブロックの内容は、３番目のオーバーヘッドブロックのＣビット（調整制御を指示する）、Ｃｌｉｅｎｔ  ｃａｌｅｎｄａｒ  Ａ（ｓｌｏｔに搭載された顧客トラフィックのタイプを指示する）、Ｃｌｉｅｎｔ  ｃａｌｅｎｄａｒ  Ｂ（ｓｌｏｔに搭載された顧客トラフィックのタイプ）、ＣＲ（ｓｌｏｔ内の顧客トラフィックを増加または削除する要求）、ＣＡ（ｓｌｏｔ内の顧客トラフィックを増加または削除するフィードバック）、ＣＲＣ−１６（ＣＲＣ−１６チェックビット）である。
【００３６】
４番目から８番目までのオーバーヘッドブロックは、ネットワーク管理情報を搬送するために用いられることができる。本開示の一実施例において、オーバーヘッドフレームで、Ｍａｎａｇｅ  ｃｈａｎｎｅｌ−ｓｅｃｔｉｏｎ（断層の管理通路）およびＭａｎａｇｅ  ｃｈａｎｎｅｌ−ｓｈｉｍ  ｔｏ  ｓｈｉｍ（ｓｈｉｍ  ｔｏ  ｓｈｉｍ管理通路）という２つのレイヤの管理通路情報に分けられる。Ｍａｎａｇｅ  ｃｈａｎｎｅｌ−ｓｅｃｔｉｏｎは４番目から５番目のオーバーヘッドブロックに位置し、Ｍａｎａｇｅ  ｃｈａｎｎｅｌ−ｓｈｉｍ  ｔｏ  ｓｈｉｍは６番目から８番目のオーバーヘッドブロックに位置する。データストリームが受信端に到達するために第三者ネットワークを経由する必要があれば、Ｍａｎａｇｅ  ｃｈａｎｎｅｌ−ｓｈｉｍ  ｔｏ  ｓｈｉｍでネットワーク管理情報を搬送する。第三者ネットワークを経由しなくてもデータストリームが受信端に到達できる場合、Ｍａｎａｇｅ  ｃｈａｎｎｅｌ−ｓｅｃｔｉｏｎおよびＭａｎａｇｅ  ｃｈａｎｎｅｌ−ｓｈｉｍ  ｔｏ  ｓｈｉｍのうちの少なくとも１つでネットワーク管理情報を搬送してもよい。
【００３７】
本開示の一実施例は、ネットワーク管理情報の受信方法を提供する。本開示の実施例の実行主体は受信装置である。図６は、本開示の一実施例におけるネットワーク管理情報の受信方法のフローチャートであり、ステップＳ６１０およびステップＳ６２０を含む。
【００３８】
Ｓ６１０において、送信装置から送信されたデータストリームに基づいて送信装置の構成モードを識別する。
【００３９】
Ｓ６２０において、送信装置の構成モードに基づいて送信装置から送信されたネットワーク管理情報を受信し、ここで、前記ネットワーク管理情報が前記データストリームに担持される。
【００４０】
送信装置の構成モードは、イーサネットモードおよびフレックスイーサネットＦｌｅｘＥモードを含む。
【００４１】
送信装置から送信されたデータストリームは、イーサネットデータストリームである可能性があり、ＦｌｅｘＥデータストリームである可能性もある。
【００４２】
送信装置の構成モードを識別する時に、データストリームがイーサネットメッセージのフォーマットであると識別すれば、前記データストリームはイーサネットデータストリームであり、送信装置の構成モジュールはイーサネットモードである。データストリームがＦｌｅｘＥデータストリームのフォーマットであると識別すれば、前記データストリームはＦｌｅｘＥデータストリームであり、送信装置の構成モジュールはＦｌｅｘＥモードである。
【００４３】
受信したデータストリームがイーサネットデータストリームであれば、イーサネットデータストリームにおいてネットワーク管理情報を探索する。受信したデータストリームがＦｌｅｘＥデータストリームであれば、ＦｌｅｘＥデータストリームにおけるＦｌｅｘＥフレームを照会し、ＦｌｅｘＥフレームからネットワーク管理情報を抽出する。
【００４４】
本開示の一実施例において、送信装置の構成モードに基づいて構成モードに対応する伝送通路を選択し、構成モードに対応する伝送通路で、送信装置から送信されたネットワーク管理情報を受信する。イーサネットモードに対応する伝送通路はイーサネット通路であり、ＦｌｅｘＥモードに対応する伝送通路はＦｌｅｘＥ通路である。
【００４５】
前記送信装置の構成モードを識別する際に、データストリームにＦｌｅｘＥフレームが存在するか否かを検出する。データストリームにＦｌｅｘＥフレームが存在する場合、データストリームをフレーム特定する。フレーム特定が成功すれば、送信装置の構成モードはＦｌｅｘＥモードであり、フレーム特定が成功しなければ、送信装置の構成モードはイーサネットモードである。つまり、データストリームにＦｌｅｘＥフレームが存在しなければ、またはフレーム特定が成功しなければ、送信装置はイーサネットモードである。
【００４６】
本開示の一実施例において、ＦｌｅｘＥフレームはオーバーヘッドフレームである。データストリームをフレーム特定することとは、データストリームにオーバーヘッドブロックが存在するか否かを検出し、オーバーヘッドブロックが存在すれば、オーバーヘッドブロックのオーバーヘッドフレームにおける位置を決定し、時間の先着順でオーバーヘッドフレーム内の１番目から５番目までのオーバーヘッドブロックを連続的に検出することができれば、フレーム特定が成功し、時間の先着順でオーバーヘッドフレーム内の１番目から５番目までのオーバーヘッドブロックを連続的に検出することができなければ、フレーム特定が失敗することである。
【００４７】
本開示の一実施例において、送信装置の構成モードに基づいて構成モードに対応する伝送通路を選択し、すなわち、対応する伝送通路を選択する。構成モードに対応する伝送通路で送信装置から送信されたネットワーク管理情報を受信する前に、ステップＡおよびステップＢを更に含む。
【００４８】
ステップＡにおいて、送信装置から送信されたデータストリームにおいてネットワーク管理情報を探索し、ネットワーク管理情報が探索された場合、選択された構成モードに対応する伝送通路で送信装置から送信されたネットワーク管理情報を受信しやすくするように、ネットワーク管理情報を選択された構成モードに対応する伝送通路に入力する。
【００４９】
ステップＢにおいて、送信装置から送信されたデータストリームにおいてＦｌｅｘＥフレームを検索し、ＦｌｅｘＥフレームが検索された場合、選択された前記構成モードに対応する伝送通路で送信装置から送信されたネットワーク管理情報を受信しやすくするように、ＦｌｅｘＥフレームからネットワーク管理情報を抽出し、抽出されたネットワーク管理情報を選択された前記構成モードに対応する伝送通路に入力する。
【００５０】
本開示の一実施例において、該ＦｌｅｘＥフレームはオーバーヘッドブロックである。
【００５１】
なお、本開示の一実施例において、ステップＡおよびステップＢは同時に実行することができる。送信装置の構成モードがイーサネットモードまたはＦｌｅｘＥモードであるため、ステップＡおよびステップＢにおいて、必ずネットワーク管理情報を取得できるステップを有し、該ネットワーク管理情報を取得するステップで処理されるデータストリームのタイプ（イーサネットデータストリームまたはＦｌｅｘＥデータストリーム）に対応する構成モードは、選択された伝送通路に対応する。
【００５２】
本開示の実施例に係る技術案は、送信装置と受信装置との相互通信を実現し、ネットワークの中断、停止のリスクを低減し、ネットワークの信頼性を強化することができる。
【００５３】
本開示の一実施例は、ネットワーク管理情報の送信装置を提供する。図７は、本開示の一実施例におけるネットワーク管理情報の送信装置の構成図である。本開示の実施例において、ネットワーク管理情報の送信装置は送信設備に設置されてもよい。
【００５４】
該ネットワーク管理情報の送信装置は、
送信装置の構成モードに基づいて前記構成モードに対応する伝送通路を選択するように構成される選択モジュール７１０と、
前記伝送通路を介して前記データストリームを受信装置に送信するように構成される送信モジュール７２０と、
を備える。
ここで、ネットワーク管理情報が前記データストリームに担持される。
【００５５】
本開示の一実施例において、前記送信装置の構成モードは、イーサネットモードおよびフレックスイーサネットＦｌｅｘＥモードを含み、ここで、前記イーサネットモードに対応する伝送通路はイーサネット通路であり、前記ＦｌｅｘＥモードに対応する伝送通路はＦｌｅｘＥ通路である。
【００５６】
本開示の一実施例において、前記送信モジュール７２０は、前記構成モードに対応する伝送通路がイーサネット通路であれば、前記ネットワーク管理情報をイーサネットデータストリームに挿入し、前記イーサネット通路を介して前記イーサネットデータストリームを前記受信装置に送信し、前記構成モードに対応する伝送通路がＦｌｅｘＥ通路であれば、前記ネットワーク管理情報をＦｌｅｘＥデータストリームのＦｌｅｘＥフレームにパッケージし、前記ＦｌｅｘＥ通路を介して前記ＦｌｅｘＥデータストリームを前記受信装置に送信するように構成される。
【００５７】
本開示の一実施例において、前記ＦｌｅｘＥフレームはオーバーヘッドフレームである。
【００５８】
本開示の実施例に係る装置の機能は、上記方法の実施例で説明されたため、本開示の実施例の説明における詳しくないところは、前述した実施例における関連説明を参照することができ、ここでは説明を省略する。
【００５９】
本開示の一実施例は、ネットワーク管理情報の受信装置を提供する。図８は、本開示の一実施例におけるネットワーク管理情報の受信装置の構成図である。本開示の一実施例におけるネットワーク管理情報の受信装置は受信設備に設置されてもよい。
【００６０】
該ネットワーク管理情報の受信装置は、
送信装置から送信されたデータストリームに基づいて前記送信装置の構成モードを識別するように構成される識別モジュール８１０と、
前記送信装置の構成モードに基づいて前記送信装置から送信されたネットワーク管理情報を受信するように構成される受信モジュール８２０と、
を備える。
ここで、前記ネットワーク管理情報が前記データストリームに担持される。
【００６１】
本開示の一実施例において、前記受信モジュール８２０は、選択ユニット８２１および受信ユニット８２２を備える。
【００６２】
選択ユニット８２１は、前記送信装置の構成モードに基づいて前記構成モードに対応する伝送通路を選択するように構成される。
【００６３】
受信ユニット８２２は、前記構成モードに対応する伝送通路で前記送信装置から送信されたネットワーク管理情報を受信するように構成される。ここで、前記ネットワーク管理情報が前記データストリームに担持される。
【００６４】
本開示の一実施例において、前記送信装置の構成モードは、イーサネットモードおよびフレックスイーサネットＦｌｅｘＥモードを含み、ここで、前記イーサネットモードに対応する伝送通路はイーサネット通路であり、前記ＦｌｅｘＥモードに対応する伝送通路はＦｌｅｘＥ通路である。
【００６５】
本開示の一実施例において、前記識別モジュール８１０は、前記データストリームにＦｌｅｘＥフレームが存在するか否かを検出し、前記データストリームに前記ＦｌｅｘＥフレームが存在する場合、前記データストリームをフレーム特定し、フレーム特定が成功すれば、前記送信装置の構成モードはＦｌｅｘＥモードであり、フレーム特定が成功しなければ、前記送信装置の構成モードはイーサネットモードであるように構成される。
【００６６】
本開示の一実施例において、前記装置は、探索モジュールおよび抽出モジュールを更に備え、図示しない。
【００６７】
探索モジュールは、前記構成モードに対応する伝送通路で前記送信装置から送信されたネットワーク管理情報を受信する前に、前記送信装置から送信されたデータストリームにおいて前記ネットワーク管理情報を探索し、前記ネットワーク管理情報が探索された場合、選択された前記構成モードに対応する伝送通路で前記送信装置から送信されたネットワーク管理情報を受信しやすくするように、前記ネットワーク管理情報を選択された前記構成モードに対応する伝送通路に入力するように構成される。
【００６８】
抽出モジュールは、前記構成モードに対応する伝送通路で前記送信装置から送信されたネットワーク管理情報を受信する前に、前記送信装置から送信されたデータストリームにおいてＦｌｅｘＥフレームを検索し、前記ＦｌｅｘＥフレームが検索された場合、選択された前記構成モードに対応する伝送通路で前記送信装置から送信されたネットワーク管理情報を受信しやすくするように、前記ＦｌｅｘＥフレームから前記ネットワーク管理情報を抽出し、抽出された前記ネットワーク管理情報を選択された前記構成モードに対応する伝送通路に入力するように構成される。
【００６９】
本開示の一実施例において、前記ＦｌｅｘＥフレームはオーバーヘッドフレームである。
【００７０】
本開示の実施例に係る装置の機能は、既に上記方法の実施例で説明されたため、本開示の実施例の説明における詳しくないところは、前述した実施例における関連説明を参照することができ、ここでは説明を省略する。
【００７１】
以下、いくつかの具体的な実施例を提供し、本開示の実施例におけるネットワーク管理情報の受送信方法を更に説明する。
【００７２】
ネットワーク要素が送信端および受信端を備えるため、ネットワーク要素は送信装置としてもよく、受信装置としてもよい。
【００７３】
本開示の一実施例は、構成モードが同じであるネットワーク要素のネットワーク管理情報の受送信方法を提供する。図９Ａは、本開示の一実施例におけるネットワーク管理情報の受送信の模式図である。図９Ｂは、本開示の一実施例におけるネットワーク要素の送信端のネットワーク管理情報の送信経路の模式図である。図９Ｃは、本開示の一実施例におけるネットワーク要素の受信端のネットワーク管理情報の受信経路の模式図である。
【００７４】
本開示の実施例において、図９Ａに示すように、ネットワーク要素１およびネットワーク要素２はいずれもイーサネットモードであり、ネットワーク要素１は、ネットワーク要素２にネットワーク管理情報を送信することができ、ネットワーク要素２から送信されたネットワーク管理情報を受信することもできる。
【００７５】
以下、ネットワーク要素１の送信端および受信端を例とし、具体的に説明する。
【００７６】
図９Ｂに示すように、ネットワーク要素１の送信端において、顧客トラフィックポートが顧客データストリームを出力し、管理情報ポートがネットワーク管理情報を出力する。メッセージ挿入モジュールは、ネットワーク管理情報を顧客データストリームに挿入し、イーサネットデータストリームを形成する。管理情報制御モジュールの制御選択器は、イーサネット通路を介してイーサネットデータストリームを出力する。イーサネットモードで、送信端のＦｌｅｘＥフレーム生成モジュールはＦｌｅｘＥデータストリームをドロップする。ここで、管理情報制御モジュールは上記選択モジュール７１０に相当し、ＦｌｅｘＥフレーム生成モジュールおよびメッセージ挿入モジュールは上記送信モジュール７２０に相当する。
【００７７】
図９Ｃに示すように、ネットワーク要素１の受信端において、イーサネットメッセージ管理情報の探索モジュールおよびＦｌｅｘＥフレーム管理通路情報の抽出モジュールは、それぞれネットワーク管理情報を探索して抽出する。ネットワーク要素２がイーサネットモードであるため、ネットワーク要素１の受信端において、イーサネットメッセージ管理情報の探索モジュールは正確なネットワーク管理情報を探索することができ、ＦｌｅｘＥフレーム管理通路情報の抽出モジュールは、ＦｌｅｘＥオーバーヘッドブロックを見つけることができないため、ネットワーク管理情報を抽出することができず、結果を出力しない。ＦｌｅｘＥフレーム診断モジュールは、オーバーヘッドブロックを見つけることができないため、フレーム特定が失敗し、選択制御情報を出力し、制御選択器は、イーサネット通路を介して管理情報ポートにネットワーク管理情報を出力する。ここで、イーサネットメッセージ管理情報の探索モジュールは上記探索モジュールに相当し、ＦｌｅｘＥフレーム管理通路情報の抽出モジュールは上記抽出モジュールに相当し、ＦｌｅｘＥフレーム診断モジュールおよび管理情報ポートは上記受信ユニット８２０に相当し、ＦｌｅｘＥフレーム診断モジュールは上記選択ユニット８２１に相当し、管理情報ポートは上記受信ユニット８２２に相当する。
【００７８】
本開示の一実施例は、構成モードが異なるネットワーク要素のネットワーク管理情報の受送信方法を提供する。図１０Ａは、本開示の一実施例におけるネットワーク管理情報の受送信の模式図である。図１０Ｂは、本開示の一実施例におけるネットワーク要素の受信端のネットワーク管理情報の受信経路の模式図である。
【００７９】
本開示の一実施例において、ネットワーク要素１はイーサネットモードであり、ネットワーク要素２はＦｌｅｘＥモードである。ネットワーク要素１は、ネットワーク管理情報をネットワーク要素２に送信することができ、ネットワーク要素２から送信されたネットワーク管理情報を受信することもできる。
【００８０】
以下、ネットワーク要素１の送信端および受信端について、具体的に説明する。
【００８１】
図９Ｂを参照し、ネットワーク要素１の送信端において、顧客トラフィックポートが顧客データストリームを出力し、管理情報ポートがネットワーク管理情報を出力する。メッセージ挿入モジュールはネットワーク管理情報を顧客データストリームに挿入し、イーサネットデータストリームを形成する。管理情報制御モジュールの制御選択器は、イーサネット通路を介してイーサネットデータストリームを出力する。イーサネットモードで、送信端のＦｌｅｘＥフレーム生成モジュールは動作しないため、ＦｌｅｘＥデータストリームを出力しない。
【００８２】
図１０Ｂを参照し、ネットワーク要素１の受信端において、イーサネットメッセージ管理情報の探索モジュールおよびＦｌｅｘＥフレーム管理通路情報の抽出モジュールは、それぞれネットワーク管理情報を探索して抽出する。ネットワーク要素２がＦｌｅｘＥモードであるため、ネットワーク要素１の受信端で受信したデータストリームはＦｌｅｘＥデータストリームである。イーサネットメッセージ管理情報の探索モジュールは、正確なネットワーク管理情報を探索することができず、または探索された内容に誤りがある。ＦｌｅｘＥフレーム管理通路情報の抽出モジュールは、ＦｌｅｘＥオーバーヘッドブロックを見つけ、ネットワーク管理情報を抽出して出力することができる。ＦｌｅｘＥフレーム診断モジュールは、オーバーヘッドブロックを見つけることができ、且つフレーム特定が成功し、選択制御情報を出力し、制御選択器はＦｌｅｘＥ通路を介して管理情報ポートにネットワーク管理情報を出力する。
【００８３】
本開示の一実施例は、構成モードが同じであるネットワーク要素のネットワーク管理情報の受送信方法を提供する。図１１Ａは、本開示の一実施例におけるネットワーク管理情報の受送信の模式図である。図１１Ｂは、本開示の一実施例におけるネットワーク要素の送信端のネットワーク管理情報の送信経路の模式図である。
【００８４】
本開示の一実施例において、ネットワーク要素１およびネットワーク要素２はいずれもＦｌｅｘＥモードであり、ネットワーク要素１は、ネットワーク管理情報をネットワーク要素２に送信することができ、ネットワーク要素２から送信されたネットワーク管理情報を受信することもできる。
【００８５】
以下、ネットワーク要素１の送信端および受信端について、具体的に説明する。
【００８６】
図１１Ｂを参照し、ネットワーク要素１の送信端において、顧客トラフィックポートが顧客データストリームを出力し、管理情報ポートがネットワーク管理情報を出力する。ＦｌｅｘＥフレーム生成モジュールが正常に動作し、顧客トラフィックフローおよびネットワーク管理情報でＦｌｅｘＥフレーム構造を構成し、ＦｌｅｘＥデータストリームを形成する。管理情報制御モジュールの制御選択器は、ＦｌｅｘＥ通路を介してＦｌｅｘＥデータストリームを出力する。メッセージ挿入モジュールの出力結果がドロップされる。
【００８７】
図１０Ｂを参照し、ネットワーク要素１の受信端において、イーサネットメッセージ管理情報の探索モジュールおよびＦｌｅｘＥフレーム管理通路情報の抽出モジュールは、それぞれネットワーク管理情報を探索して抽出する。ネットワーク要素２がＦｌｅｘＥモードであるため、ネットワーク要素１の受信端で受信したデータストリームはＦｌｅｘＥデータストリームである。イーサネットメッセージ管理情報の探索モジュールは、正確なネットワーク管理情報を探索することができず、または探索された内容に誤りがある。ＦｌｅｘＥフレーム管理通路情報の抽出モジュールは、ＦｌｅｘＥオーバーヘッドブロックを見つけ、ネットワーク管理情報を抽出して出力することができる。ＦｌｅｘＥフレーム診断モジュールは、オーバーヘッドブロックを見つけることができ、且つフレーム特定が成功し、選択制御情報を出力し、制御選択器はＦｌｅｘＥ通路を介して管理情報ポートにネットワーク管理情報を出力する。
【００８８】
本開示の実施例は、ネットワーク要素の受信端でデータストリームを受信し、送信端の構成モードを識別し、且つ、該構成モードに対応する伝送通路でネットワーク管理情報を取得する。本開示により、送信端のネットワーク要素と受信端ネットワーク要素の構成モードが異なっても、相互通信を実現し、送信端のネットワーク要素から送信されたネットワーク管理情報を正確に取得し、ネットワークの信頼性を強化することができる。
【００８９】
本開示の一実施例は、コンピュータプログラム、該プログラムが記憶された記憶媒体、および送信装置を更に提供する。該送信装置は、データ処理を行うプロセッサ、コンピュータプログラムを記憶するためのメモリ、およびデータの受送信に用いられるデータ受送信器を備え、前記プロセッサが前記メモリに記憶されたコンピュータプログラムを実行する際に、前記送信装置の構成モードに基づいて前記構成モードに対応する伝送通路を選択する動作と、ネットワーク管理情報をデータストリームに担持させ、前記伝送通路を介して前記データストリームを受信装置に送信する動作とを実行する。
【００９０】
本開示の一実施例において、前記送信装置の構成モードは、イーサネットモードおよびフレックスイーサネットＦｌｅｘＥモードを含み、ここで、前記イーサネットモードに対応する伝送通路はイーサネット通路であり、前記ＦｌｅｘＥモードに対応する伝送通路はＦｌｅｘＥ通路である。
【００９１】
本開示の一実施例において、前記ネットワーク管理情報をデータストリームに担持させ、前記伝送通路を介して前記データストリームを受信装置に送信することは、前記構成モードに対応する伝送通路がイーサネット通路であれば、前記ネットワーク管理情報をイーサネットデータストリームに挿入し、前記イーサネット通路を介して前記受信装置に前記イーサネットデータストリームを送信することと、前記構成モードに対応する伝送通路がＦｌｅｘＥ通路であれば、前記ネットワーク管理情報をＦｌｅｘＥデータストリームのＦｌｅｘＥフレームにパッケージし、前記ＦｌｅｘＥ通路を介して前記受信装置に前記ＦｌｅｘＥデータストリームを送信することとを含む。
【００９２】
本開示の一実施例において、前記ＦｌｅｘＥフレームはオーバーヘッドフレームである。
【００９３】
本開示の一実施例において、本開示の実施例におけるいずれかの方法を実行するように構成されるコンピュータプログラムが記憶されるコンピュータ読取可能な記憶媒体を更に提供する。
【００９４】
前述した実施例に開示されたネットワーク管理情報の送信方法は、対応する送信装置を得るために、送信装置で実施することにより実行されてもよい。送信装置のネットワーク要素としては光モジュールであってもよい。図１２は、本開示の一実施例における送信装置のハードウェアの構造模式図であり、該送信装置は、ネットワーク管理情報の送信方法を実現するために用いられる。図１２に示すように、送信装置１２００は、１つまたは複数の（図において１つのみが示される）プロセッサ１２１０（プロセッサ１２１０は、マイクロプロセッサＭＣＵまたはプログラマブルロジック素子ＦＰＧＡ等の処理装置を含んでもよいが、それらに限定されない）、データを記憶するためのメモリ１２２０、およびデータの送信および／または受信に用いられるデータ受送信器１２３０を備えてもよい。当業者であれば、図１２に示す構造は例示的なものに過ぎず、上記電子装置の構造を単一に限定するものではないことが理解できる。例えば、送信装置１２００は、上記機能に対する分割または統合により、図１２に示すものよりもより多いまたはより少ない構成要素を備えてもよく、または図１２に示すものと異なる構成を有してもよい。
【００９５】
メモリ１２２０は、アプリケーションのソフトウェアプログラムおよびモジュールを記憶するために用いることができ、前述した実施例に開示された送信装置に対応するネットワーク管理情報の送信方法に対応するプログラム命令／モジュールは、メモリ１２２０に記憶することができる。ネットワーク管理情報の送信方法については、前の実施例で既に詳細に説明したため、本実施例では詳細な説明を省略する。
【００９６】
プロセッサ１２１０は、メモリ１２２０内に記憶されたソフトウェアプログラムおよびモジュールを運行（実行）することにより、様々な機能、アプリケーション、およびデータ処理を実行し、すなわち、上記方法を実現する。メモリ１２２０は高速ランダムメモリを含んでもよく、１つまたは複数の磁気記憶装置、フラッシュメモリ、または他の不揮発性固体メモリのような不揮発性メモリを更に含んでもよい。一部の実施例において、メモリ１２２０は、プロセッサ１２１０に対して遠隔的に設けられたメモリ（クラウドストレージ）を更に含んでもよく、これらの遠隔メモリは、ネットワークを介して送信装置１２００に接続することができる。上記ネットワークの実施例は、インターネット、イントラネット、ローカルエリアネットワーク、移動体通信網およびその組み合わせを含んでもよいが、それらに限定されない。
【００９７】
データ受送信器１２３０は、１つのネットワークを介してデータを受信または送信するために用いられる。上記ネットワークの具体的な実施例は、送信装置１２００の通信事業者によって提供される無線ネットワークを含むことができる。一実施例において、データ受送信器１２３０は、基地局と他のネットワーク装置との接続によりインターネットと通信できる１つのネットワークアダプタ（Ｎｅｔｗｏｒｋ  Ｉｎｔｅｒｆａｃｅ  Ｃｏｎｔｒｏｌｌｅｒ、ＮＩＣと略称される）を備える。一実施例において、データ受送信器１２３０は、無線方式でインターネットと通信するための無線周波数（Ｒａｄｉｏ  Ｆｒｅｑｕｅｎｃｙ、ＲＦと略称される）モジュールを備える。
【００９８】
本開示の一実施例は、受信装置を更に提供する。該受信装置は、データ処理を行うプロセッサ、コンピュータプログラムを記憶するためのメモリ、およびデータの受送信に用いられるデータ受送信器を備え、前記プロセッサが前記メモリに記憶されたコンピュータプログラムを実行する際に、送信装置から送信されたデータストリームに基づいて前記送信装置の構成モードを識別する動作と、前記送信装置の構成モードに基づいて前記送信装置から送信されたネットワーク管理情報を受信し、ここで、前記ネットワーク管理情報が前記データストリームに担持される動作とを実行する。
【００９９】
本開示の一実施例において、前記送信装置の構成モードに基づいて前記送信装置から送信されたネットワーク管理情報を受信することは、前記送信装置の構成モードに基づいて前記構成モードに対応する伝送通路を選択することと、前記構成モードに対応する伝送通路で前記送信装置から送信されたネットワーク管理情報を受信することとを含む。
【０１００】
本開示の一実施例において、前記送信装置の構成モードは、イーサネットモードおよびフレックスイーサネットＦｌｅｘＥモードを含み、ここで、前記イーサネットモードに対応する伝送通路はイーサネット通路であり、前記ＦｌｅｘＥモードに対応する伝送通路はＦｌｅｘＥ通路である。
【０１０１】
本開示の一実施例において、前記送信装置から送信されたデータストリームに基づいて前記送信装置の構成モードを識別することは、前記データストリームにＦｌｅｘＥフレームが存在するか否かを検出することと、前記データストリームに前記ＦｌｅｘＥフレームが存在する場合、前記データストリームをフレーム特定することと、フレーム特定が成功すれば、前記送信装置の構成モードはＦｌｅｘＥモードであり、フレーム特定が成功しなければ、前記送信装置の構成モードはイーサネットモードであることとを含む。
【０１０２】
本開示の一実施例において、前記前記構成モードに対応する伝送通路で前記送信装置から送信されたネットワーク管理情報を受信する前に、前記送信装置から送信されたデータストリームにおいて前記ネットワーク管理情報を探索し、前記ネットワーク管理情報が探索された場合、選択された前記構成モードに対応する伝送通路で前記送信装置から送信されたネットワーク管理情報を受信しやすくするように、前記ネットワーク管理情報を選択された前記構成モードに対応する伝送通路に入力することと、前記送信装置から送信されたデータストリームにおいてＦｌｅｘＥフレームを検索し、前記ＦｌｅｘＥフレームが検索された場合、選択された前記構成モードに対応する伝送通路で前記送信装置から送信されたネットワーク管理情報を受信しやすくするように、前記ＦｌｅｘＥフレームから前記ネットワーク管理情報を抽出し、抽出された前記ネットワーク管理情報を選択された前記構成モードに対応する伝送通路に入力することとを更に含む。
【０１０３】
本開示の一実施例において、前記ＦｌｅｘＥフレームはオーバーヘッドフレームである。
【０１０４】
前述した実施例に開示されたネットワーク管理情報の受信方法は、対応する受信装置を得るために、受信装置で実施することにより実行されてもよい。受信装置のネットワーク要素としては光モジュールであってもよい。図１３は、本開示の一実施例における受信装置のハードウェアの構造模式図であり、該受信装置は、ネットワーク管理情報の受信方法を実現するために用いられる。図１３に示すように、受信装置１３００は、１つまたは複数の（図において１つのみが示される）プロセッサ１３１０（プロセッサ１３１０は、マイクロプロセッサＭＣＵまたはプログラマブルロジック素子ＦＰＧＡ等の処理装置を含んでもよいが、それらに限定されない）、データを記憶するためのメモリ１３２０、およびデータの送信および／または受信に用いられるデータ受送信器１３３０を備えてもよい。当業者であれば、図１３に示す構造は例示的なものに過ぎず、上記電子装置の構造を単一に限定するものではないことが理解できる。例えば、受信装置１３００は、上記機能の分割または統合により、図１３に示すものよりもより多いまたはより少ない構成要素を備えてもよく、または図１３に示すものと異なる構成を有してもよい。
【０１０５】
メモリ１３２０は、アプリケーションのソフトウェアプログラムおよびモジュールを記憶するために用いることができ、前述した実施例に開示された受信装置に対応するネットワーク管理情報の送信方法に対応するプログラム命令／モジュールは、メモリ１３２０に記憶することができる。ネットワーク管理情報の送信方法については、前の実施例で既に詳細に説明したため、本実施例では詳細な説明を省略する。
【０１０６】
プロセッサ１３１０は、メモリ１３２０内に記憶されたソフトウェアプログラムおよびモジュールを運行（実行）することにより、様々な機能、アプリケーション、およびデータ処理を実行し、すなわち、上記方法を実現する。メモリ１３２０は高速ランダムメモリを含んでもよく、１つまたは複数の磁気記憶装置、フラッシュメモリ、または他の不揮発性固体メモリのような不揮発性メモリを更に含んでもよい。一部の実施例において、メモリ１３２０は、プロセッサ１３１０に対して遠隔的に設けられたメモリ（クラウドストレージ）を更に含んでもよく、これらの遠隔メモリは、ネットワークを介して受信装置１３００に接続することができる。上記ネットワークの実施例は、インターネット、イントラネット、ローカルエリアネットワーク、移動体通信網およびその組み合わせを含んでもよいが、それらに限定されない。
【０１０７】
データ受送信器１３３０は、１つのネットワークを介してデータを受信または送信するために用いられる。上記ネットワークの具体的な実施例は、受信装置１３００の通信事業者によって提供される無線ネットワークを含むことができる。一実施例において、データ受送信器１３３０は、基地局と他のネットワーク装置との接続によりインターネットと通信できる１つのネットワークアダプタ（Ｎｅｔｗｏｒｋ  Ｉｎｔｅｒｆａｃｅ  Ｃｏｎｔｒｏｌｌｅｒ、ＮＩＣと略称される）を備える。一実施例において、データ受送信器１３３０は、無線方式でインターネットと通信するための無線周波数（Ｒａｄｉｏ  Ｆｒｅｑｕｅｎｃｙ、ＲＦと略称される）モジュールを備える。
【産業上の利用可能性】
【０１０８】
本開示の実施例において、送信端のネットワーク要素と受信端のネットワーク要素の構成モードが異なっても、異なるネットワーク要素の間の相互通信を実現し、送信端のネットワーク要素から送信されたネットワーク管理情報を正確に取得することができる。
【図１】
2019534609.tif 000003
【図２】
2019534609.tif 000004
【図３】
2019534609.tif 000005
【図４】
2019534609.tif 000006
【図５】
2019534609.tif 000007
【図６】
2019534609.tif 000008
【図７】
2019534609.tif 000009
【図８】
2019534609.tif 000010
【図９Ａ】
2019534609.tif 000011
【図９Ｂ】
2019534609.tif 000012
【図９Ｃ】
2019534609.tif 000013
【図１０Ａ】
2019534609.tif 000014
【図１０Ｂ】
2019534609.tif 000015
【図１１Ａ】
2019534609.tif 000016
【図１１Ｂ】
2019534609.tif 000017
【図１２】
2019534609.tif 000018
【図１３】
2019534609.tif 000019
【国際調査報告】
2019534609.tif 000020
2019534609.tif 000021
2019534609.tif 000022
2019534609.tif 000023